(57)【要約】【課題】携帯電話装置に搭載されている撮影機能の性能が向上するとともに、撮影した画像データを容易に配布できるようになった。【解決手段】制御情報取得部１１０は、撮像部１０４の機能を制御するための制御信号を受信する。その制御信号は、例えばコンサート会場で受信できるように送信される。モード設定部１０８は、制御信号に基づいて、機能部１０２を通常モードまたは制限モードで機能させる。制限モードは、機能部１０２が生成する画像の画質を、通常モードにおける画像の画質より悪くするモードである。これにより、携帯電話装置１００が生成する画像の画質を通常モードと制限モードとで変えることができる。【選択図】図２
2005142809.tif 000002
【特許請求の範囲】
【請求項１】
第１ユーザの指示に応じて所定のコンテンツを生成する電子装置であって、
第１の品質と第２の品質とで前記コンテンツを生成する機能部と、
前記第１ユーザとは異なる第２ユーザの指示に応じて送信された制御信号を受信する受信部と、
前記制御信号を受信した場合、前記第２ユーザの意図に応じた品質のコンテンツを生成することを前記機能部に指示するモード設定部と、
を備えることを特徴とする電子装置。
【請求項２】
第１の品質と第２の品質とで所定の機能を実現する機能部と、
前記機能部における前記所定の機能の品質を決定するための制御情報を、ネットワークを介して受信する受信部と、
前記制御情報に基づいて、ユーザの許可を受け付けることなく、前記機能部に前記第１の品質または前記第２の品質で前記所定の機能を実現させるモード設定部と、
を備えることを特徴とする電子装置。
【請求項３】
前記機能部に対する起動指示を検出する検出部と、
前記起動指示を検出した場合、前記受信部に前記制御情報を受信する処理を実行させる指示部と、
を更に備えることを特徴とする請求項２に記載の電子装置。
【請求項４】
前記機能部が実現する機能は、当該電子装置の外部における環境状態をサンプリングする機能であって、前記第２の品質で機能する場合、前記機能部は、前記第１の品質より低い品質で前記環境状態をサンプリングすることを特徴とする請求項２または３のいずれかに記載の電子装置。
【請求項５】
前記機能部が実現する機能は、前記環境状態を撮影する機能であって、前記第２の品質で機能する場合、前記機能部は、前記第１の品質で撮影した画像より低い画質の画像データを出力することを特徴とする請求項４に記載の電子装置。
【請求項６】
前記機能部が実現する機能は、前記環境状態を録音する機能であって、前記第２の品質で機能する場合、前記機能部は、前記第１の品質で録音した音声より低い音質の音声データを出力することを特徴とする請求項４に記載の電子装置。
【発明の詳細な説明】
【技術分野】
【０００１】
この発明は電子装置が有する機能の制御技術に関し、とくに外部からの指示に応じて、機能を制御可能な電子装置、およびその装置を含むシステムに関する。
【背景技術】
【０００２】
通信技術、情報処理技術、製造技術など各種技術の高度化にともない、携帯電話を初めとする様々な携帯端末の小型化が進み、それらの普及率も年々増加の一途を辿っている。こうした携帯端末の機能は年々高度化し、例えば携帯電話は、通話機能だけでなく、プログラムを実行することにより電子メールクライアント、ウェブブラウザなどを実現できる。更に、携帯電話の中には、カメラ、ＧＰＳ（Global Positioning System）、録音機能、ラジオなどの機能を備える機種もある。
【０００３】
携帯端末は、常にユーザに携帯されていることが多く、そうしたことから携帯時に便利な機能が携帯端末に付属されるようになってきた。例えば、カメラを携帯電話に装備することにより、ユーザは、撮影したいと思った情景を逃さず画像として残すことができる。こうしたユーザにとってのメリットも、例えば劇場やコンサート会場の運営者にとってはデメリットになることもある。つまり、劇場の場合、撮影のためのフラッシュは演出効果上禁止する必要があるが、手軽に撮影できる手段を有するユーザが増えるほど、撮影の禁止を徹底することが困難になる。こうしたことから、電波を利用して制御信号を送信することにより、強制的に携帯電話の機能を制限するシステムがある（例えば、特許文献１参照）。
【特許文献１】特開２００２−１３５８３８号公報
【発明の開示】
【発明が解決しようとする課題】
【０００４】
一般に、人は抑圧されると、反発する傾向がある。このため、強制的に機能を制限する従来の技術では、ユーザが劇場等の運営者に対して反感や不信感をもつことが予想され、そうしたイメージはビジネス的に問題になる。また、ユーザが強制的に機能制限されていることを知らず、単なる故障と判断してしまうことも考えられる。これは、携帯端末メーカーのイメージの低下を招く。
【０００５】
一方、携帯端末に付加される各種機能の性能は高くなり、例えば携帯電話に搭載されているカメラの性能は、通常のデジタルカメラとほぼ同等である。また、携帯電話は、電子メールの送受信機能などを備え、撮影した画像を容易に配布することができる。このため、例えばユーザは、コンサートの状態を撮影し、勝手に配布することができる。
【０００６】
本発明はこうした点に鑑みてなされたもので、その目的は、ユーザと運営者との思惑のバランスを適度に保つように、電子装置の機能を制御する技術の提供にある。
【課題を解決するための手段】
【０００７】
本発明者は、携帯電話など電子装置の撮影機能や録音機能などで得られるコンテンツの品質を調整することにより、例えば、撮影したいというユーザの気持ちと、配布されたくないという運営者の思惑を絶妙に保ちながら携帯端末の機能を制御することに想到した。
【０００８】
本発明のある態様は、第１ユーザの指示に応じて所定のコンテンツを生成する電子装置である。この装置は、第１の品質と第２の品質とでコンテンツを生成する機能部と、第１ユーザとは異なる第２ユーザの指示に応じて送信された制御信号を受信する受信部と、制御信号を受信した場合、第２ユーザの意図に応じた品質のコンテンツを生成することを機能部に指示するモード設定部とを備える。これにより、第２ユーザは、第１ユーザの電子装置が生成するコンテンツの品質を強制的に調整することができる。また、第１ユーザも電子装置を使い、第２ユーザが設定した品質でコンテンツを生成させることができる。
【０００９】
「コンテンツ」は、例えば画像データ、映像データ、音声データなど所定のアプリケーションで処理することにより、ユーザが視覚、聴覚、触覚などで認識可能な情報である。また、そのコンテンツは単一のファイルで構成されていてもよいし、複数のファイルおよびデータの組合せで構成されてもよい。要は、コンテンツは、所定のアプリケーションで所定の処理を実行するために必要な情報である。
【００１０】
本発明の別の態様は、所定の機能を実現する電子装置である。この装置は、第１の品質と第２の品質とで所定の機能を実現する機能部と、機能部における所定の機能の品質を決定するための制御情報を、ネットワークを介して受信する受信部と、制御情報に基づいて、ユーザの許可を受け付けることなく、機能部に第１の品質または第２の品質で所定の機能を実現させるモード設定部とを備える。これにより、この装置は、受信した制御情報に応じて、強制的に品質を切り替えることができる。
【００１１】
この装置は、機能部に対する起動指示を検出する検出部と、起動指示を検出した場合、受信部に制御情報を受信する処理を実行させる指示部とを更に備える。これにより、機能部を利用する際、必ず制御情報の有無を確認し、制御情報に応じて適切な品質で所定の機能を実現することができる。
【００１２】
機能部が実現する機能は、当該電子装置の外部における環境状態をサンプリングする機能であって、第２の品質で機能する場合、機能部は、第１の品質で得られる品質より低い品質で環境状態をサンプリングしてもよい。
【００１３】
機能部が実現する機能は、環境状態を撮影する機能であって、第２の品質で機能する場合、機能部は、第１の品質で撮影した画像より低い画質の画像データを出力してもよい。
【００１４】
機能部が実現する機能は、環境状態を録音する機能であって、第２の品質で機能する場合、機能部は、第１の品質で録音した音声より低い音質の音声データを出力してもよい。
【００１５】
なお、以上の構成要素の任意の組合せ、本発明の表現を方法、装置、システムなどの間で変換したものもまた、本発明の態様として有効である。
【発明の効果】
【００１６】
本発明によれば、電子装置が有する機能で得られるコンテンツに関係するビジネスプレイヤの思惑のバランスを適当に保つように、その機能を強制的に制御できる装置、およびシステムを提供できる。
【発明を実施するための最良の形態】
【００１７】
＜第１の実施の形態＞
図１（ａ）は、第１の実施の形態に係る通信システム１０の構成図である。制御情報送信装置５０は、例えばコンサート会場、美術館、映画館、書店、コンビニエンスストアなど携帯電話装置１００が有する機能を制限すべき制限範囲１２に、携帯電話装置１００の機能を制限するための制御情報を送信する。その制御情報は、例えばコンサート会場の運営者や書店の経営者など、制限範囲１２の管理者により設定される。制限する機能は、例えば携帯電話装置１００の撮影機能、録音機能など携帯電話装置１００の周辺の環境状態をサンプリングする機能であってよい。本実施の形態では、制限の対象となる機能として撮影機能を例に説明する。
【００１８】
携帯電話装置１００は、撮像部１０４を有する携帯可能な電話装置である。携帯電話装置１００は、制御情報に基づいて、自動的に撮像部１０４が生成する画像の画質を調整する。例えば制限範囲１２の中で、ユーザが被写体２０を撮影した場合、携帯電話装置１００は、管理者の思惑に応じた画質で画像を生成する。
【００１９】
図１（ｂ）は、画質の調整が行われていない時の被写体２０の画像７０（以下、「通常画像７０」という）の一例を示す図であり、図１（ｃ）は、画質の調整が行われた時の被写体２０の画像７２（以下、「制限画像７２」という）の一例を示す図である。このように携帯電話装置１００は、ユーザの指示に応じて制限範囲１２の内側でも被写体２０を撮影できるが、通常画像７０より画質の悪い制限画像７２を生成する。これにより、ユーザは、通常画像７０には劣るが、個人的に楽しむことができるレベルの画質の制限画像７２を手に入れることができる。一方、他人へ販売や配布するための画像としては、制限画像７２は画質的に問題があるので、販売行為や配布行為を抑制できる。また、制限画像７２には、制限画像であることを示す付加情報７４が合成される。これにより、後日この制限画像７２を見たときにも、制限画像のため画質が悪いということを認識することができる。
【００２０】
図１（ｄ）は、制限範囲１２の内側で携帯電話装置１００に表示される画面８０の一例を示す図である。制限範囲１２の内側では、携帯電話装置１００には、機能制限中であることを示すメッセージ８２が表示される。これにより、ユーザは機能制限中であることを認識して、撮影を行うことができる。機能制限を認識した上で、ユーザは撮影を行うので、機能制限中に撮影した画像に対して、ユーザが例えば携帯電話装置１００の故障と判断することを防止できる。
【００２１】
制御情報送信装置５０は、制御情報を生成するための情報を格納する制御情報格納部５６と、アンテナ５２を介して制御情報格納部５６に格納された情報に基づいて生成した制御情報を無線で送信する送信部５４とを備える。制御情報格納部５６は、制御内容を示すコマンドを保持してもよいし、制御内容として送信すべきデータを保持してもよい。要は、制御情報格納部５６は、アンテナ５２から送信する制御情報を生成するために必要な情報を保持する。
【００２２】
送信部５４は、制御情報格納部５６に保持されている情報に基づいて制御情報を生成し、アンテナ５２を介して送信する。アンテナ５２は、指向性のあるアンテナでもよいし、無指向性のアンテナであってもよい。また、制御情報送信装置５０は、複数のアンテナ５２を介して制御情報を送信してもよい。制御情報は、単に制限範囲１２であることを示す情報（以下、単に「制限情報」という）だけを含んでもよいし、後述する携帯電話装置１００における制限の度合いを示す情報（以下、単に「品質情報」という）を含んでもよい。そうした品質情報は、制限範囲１２の管理者により任意に設定することが可能であり、制御情報格納部５６に対応する制御内容を格納することで実現できる。
【００２３】
図２は、図１の携帯電話装置１００の内部構成図である。携帯電話装置１００の各構成要素は、ハードウエアコンポーネントで言えば、任意のコンピュータのＣＰＵ、メモリ、メモリにロードされた本図の構成要素を実現するプログラム、そのプログラムを格納するハードディスクなどの記憶ユニット、ＤＳＰ（Digital Signal Processor）、所定の通信プロトコルに準じて通信を行うための通信モジュール等を中心に実現されるが、その実現方法、装置にはいろいろな変形例があることは、当業者には理解されるところである。これから説明する各図は、ハードウエア単位の構成ではなく、機能単位のブロックを示している。
【００２４】
通話部１２８は、電話装置としての機能を実現するユニットであり、マイク１３０が入力した音声をＡＤＰＣＭ（Adaptive Differential Pulse Code Modulation）やＶ−ＳＥＬＰなどを利用してデジタルデータに変換し、第１通信部１２６に出力する。また、通話部１２８は、第１通信部１２６を介して受信したデジタルデータをアナログ信号に変換し、スピーカ１３２から音声を出力する。第１通信部１２６は、公衆交換電話回線網に接続された基地局と無線回線を形成し、例えばＴＤＭＡ（Time Division Multiple Access）やＣＤＭＡ（Code Division Multiple Access）などの通信方式を利用して通信を行う。
【００２５】
操作部１１６は、携帯電話装置１００に設けられたスイッチ、ボタン、ジョイスティックなどの入力デバイスであり、ユーザから種々の操作を受け付ける。本実施の形態では、操作部１１６は、後述する撮像部１０４を起動するためのカメラ起動ボタン１１８を有する。
【００２６】
利用部１２４は、例えば電子メールクライアント、ウェブブラウザ、後述する機能部１０２が撮像した画像コンテンツを管理するアルバム機能など種々の処理を実現する。利用部１２４は、操作部１１６を介してユーザから様々な指示を受け付け、それに応じた処理を実現する。そして、利用部１２４は、例えば電子メールクライアントなどの画面を表示部１２２に表示させる。
【００２７】
機能部１０２は、携帯電話装置１００における機能のうち、図１の制御情報送信装置５０から送信される制御情報に応じて、強制的に制御される機能を実現する。機能部１０２は、撮影機能、録音機能、着信音の発声機能など任意の機能を実現してもよい。本図の機能部１０２は撮影機能を実現する。機能部１０２は、ＣＣＤ（Charge Coupled Diode）などを有し、ＲＧＢ形式の画像データを出力する撮像部１０４と、その画像データに所定の処理を施す画像処理部１０６とを有する。
【００２８】
撮像部１０４は、例えばＣＣＤが蓄光する時間を任意に調整可能であり、携帯電話装置１００の外部の明るさに応じて自動的に調整するとともに、後述するモード設定部１０８からの指示に応じて、蓄光時間を調整する。
【００２９】
画像処理部１０６は、撮像部１０４から供給された画像データに対して、明度や彩度の調整、ノイズ除去などの各種の画像処理を施す。また、画像処理部１０６は、画像データを例えばＰＮＧ（Portable Network Graphics）などに準じて圧縮し、所定のフォーマットの画像ファイルを生成する。そして、画像処理部１０６は、生成した画像ファイルを格納部１２０に格納する。また、画像処理部１０６は、モード設定部１０８からの指示に応じて、明度や彩度を調整したり、各種のフィルタ処理を施したり、所定の文字やイメージを合成し、図１（ｂ）および図１（ｃ）を用いて説明した通常画像７０ならびに制限画像７２のいずれかを生成する。利用部１２４は、こうして格納部１２０に格納された画像ファイルを必要に応じて利用する。
【００３０】
起動指示部１１４は、カメラ起動ボタン１１８が押下されたことを検出して、機能部１０２を起動することをモード設定部１０８に指示する。モード設定部１０８は、制御情報取得部１１０に制御情報の取得処理を開始することを指示する。そして、モード設定部１０８は、制御情報取得部１１０から供給された制御情報に基づいて、機能部１０２を通常モードまたは制限モードで起動する。以下、「通常モード」と「制限モード」とを、「動作モード」と総称する。
【００３１】
通常モード設定値格納部１３４は、通常モードで機能部１０２を機能させるときの設定値を予め保持する。制限モード設定値格納部１３６は、制限モードで機能部１０２を機能させるときの設定値を予め保持する。通常モード設定値格納部１３４および制限モード設定値格納部１３６に保持される設定値は、例えば、撮像部１０４における蓄光時間、画像処理部１０６における明度や彩度の調整量、フィルタ処理の種類、文字やイメージの合成処理などを指定する情報であってよい。この設定値は、制限モードにおいて、どのように画像の品質を下げるかにより任意に設定することができる。例えば、図１（ｃ）の制限画像７２のように被写体２０をぶれた状態にすることで品質を下げるためには、蓄光時間を設定値として通常モード設定値格納部１３４および制限モード設定値格納部１３６に格納すればよい。そして、制限モード設定値格納部１３６には、通常モード設定値格納部１３４に格納する蓄光時間より長い蓄光時間を格納する。つまり、蓄光時間を長くすることで、手ぶれなどの影響が画像に生じる。
【００３２】
モード設定部１０８は、制御情報取得部１１０から制御情報を受け付けた場合、制限モード設定値格納部１３６に保持されている設定値に基づいて画像ファイルを生成することを機能部１０２に指示する。また、制御情報取得部１１０から制御情報を取得できないこと、つまり、制限範囲１２で無いことを指定する情報を受け付けた場合、モード設定部１０８は、通常モード設定値格納部１３４に保持されている設定値に基づいて画像ファイルを生成することを機能部１０２に指示する。また、制限モードで機能部１０２を機能させる場合、モード設定部１０８は、制限モードであることをユーザに通知するメッセージを表示部１２２に表示させる。これにより、図１（ｄ）を用いて説明した表示画面８０が、表示部１２２に表示される。
【００３３】
他の例で、機能部１０２が録音機能を有する場合には、例えばモード設定部１０８は、サンプリング周波数などを動作モードに応じて変えることにより、音声に関しても品質を変えることができる。
【００３４】
制御情報取得部１１０は、モード設定部１０８から制御情報の取得指示を受け付けると、第２通信部１１２を起動し、通信可能な状態にした後、制御情報の取得処理を開始する。第２通信部１１２は、例えば電波や赤外線などをキャリアとし、例えば１０ｍから５０ｍ程度の比較的長距離の通信を可能とする無線で制御情報を受信する。前述した起動指示部１１４は、カメラ起動ボタン１１８の押下を検出すると、モード設定部１０８に機能部１０２の起動を指示する。そして、モード設定部１０８は、まず制御情報取得部１１０に制御情報の取得を指示する。つまり、ユーザが撮像部１０４の使用を要求した場合、必ず制御情報に基づいた動作モードの決定処理が行われる。これにより、第２通信部１１２が常に起動している必要がなく、制御情報を取得する際に自動的に起動される。このため、第２通信部１１２による消費電力を必要最小限に抑えることができる。
【００３５】
また、制御情報の取得処理を行った後であり、かつ機能部１０２が作動中の場合、制御情報取得部１１０は、第２通信部１１２を停止してもよい。そして、制御情報取得部１１０は、定期的に第２通信部１１２を起動し、制御情報の取得処理を行ってもよい。
【００３６】
図３は、図２の携帯電話装置１００における撮影処理のフローチャートの一例である。図２の起動指示部１１４は、カメラの起動指示を検出し（Ｓ１０）、図２の機能部１０２の起動を図２のモード設定部１０８に指示する。モード設定部１０８は、図２の制御情報取得部１１０に制御情報の取得処理の開始を指示する。そして、制御情報取得部１１０は、図２の第２通信部１１２を起動し（Ｓ１２）、図２の制御情報取得部１１０は、制御情報の取得処理を行う（Ｓ１４）。モード設定部１０８は、制御情報に基づいて、機能部１０２における機能に制限を加えるか否かを判定する（Ｓ１６）。モード設定部１０８が制限を加えると判定した場合（Ｓ１６のＹ）、モード設定部１０８は、機能部１０２を制限モードで動作するように設定する（Ｓ１８）。
【００３７】
また、ステップ１６で、モード設定部１０８が制限を加えないと判定した場合（Ｓ１６のＮ）、モード設定部１０８は、機能部１０２を通常モードで動作するように設定する（Ｓ２４）。そして、モード設定部１０８は、制限モードまたは通常モードで機能部１０２を起動する（Ｓ２０）。そして、機能部１０２は、設定された動作モードで撮影処理を行う（Ｓ２２）。
【００３８】
＜第２の実施の形態＞
第１の実施の形態では、比較的長距離の通信が可能な無線キャリアを利用することで、例えばコンサート会場や美術館など広い範囲で機能制限を行う形態を説明した。第２の実施の形態では、近距離の通信が可能な無線キャリアを利用してスポット的に機能制限を行う形態を説明する。
【００３９】
図４は、第２の実施の形態に係る通信システム３０の構成図である。被写体側携帯電話装置２００および撮影側携帯電話装置２５０は、図２を用いて説明した携帯電話装置１００と略同一の構成を有する。被写体側携帯電話装置２００は、被写体となるユーザが保持する。撮影側携帯電話装置２５０は、撮影者であるユーザが保持する。被写体側携帯電話装置２００は、撮影の許否を指定する撮影許否フラグ２０１を保持する。撮影許否フラグ２０１は、被写体となるユーザにより予め設定される。例えば、撮影されてもよい場合、ユーザは、予め撮影許否フラグ２０１を撮影の許可を示すフラグに設定する。撮影されたくない場合、ユーザは、予め撮影許否フラグ２０１を撮影の拒否を示すフラグに設定する。
【００４０】
撮影者が、撮影側携帯電話装置２５０のカメラ起動ボタン１１８を押下すると、撮影側携帯電話装置２５０は、被写体側携帯電話装置２００に対して許否情報を要求する（Ｓ３０）。そして、被写体側携帯電話装置２００は、撮影許否フラグ２０１を許否情報として撮影側携帯電話装置２５０に送信する（Ｓ３２）。この撮影側携帯電話装置２５０および被写体側携帯電話装置２００間の、撮影の許否確認処理は、例えばブルートゥース（登録商標）やＩｒＤＡなどの近距離通信により行われる。これにより、撮影側携帯電話装置２５０の周辺に存在する被写体側携帯電話装置２００と許否確認処理を行うことができる。
【００４１】
図５は、図４の被写体側携帯電話装置２００および撮影側携帯電話装置２５０間の処理のシーケンスの一例を示す図である。図４の撮影側携帯電話装置２５０は、カメラの起動指示を検出すると（Ｓ５０）、許否情報の取得処理を開始する（Ｓ５２）。撮影側携帯電話装置２５０は、周辺の被写体側携帯電話装置２００に向けて許否情報を要求する（以下、単に「拒否情報要求」という）（Ｓ５４）。その要求を受信した被写体側携帯電話装置２００は、許否情報を撮影側携帯電話装置２５０に向けて送信する（Ｓ５６）。撮影側携帯電話装置２５０は、受信した許否情報に基づいて、撮影を許可されたか否かを判定する（Ｓ５８）。許可された場合（Ｓ５８のＹ）、撮影側携帯電話装置２５０は、通常モードに設定し（Ｓ６０）、撮影を行う（Ｓ６２）。ステップ５８で、撮影が許可されなかった場合（Ｓ５８のＮ）、撮影側携帯電話装置２５０はカメラ部分を起動せずに、撮影が許可されないことを示すメッセージを表示する（Ｓ６４）。これにより、例えば被写体となる被写体側携帯電話装置２００のユーザが、撮影者となる撮影側携帯電話装置２５０のユーザに勝手に撮影されることを防止できる。
【００４２】
図６は、図４の被写体側携帯電話装置２００の内部構成図である。本図で既に説明した構成と同一の符号を付した構成は、機能および動作が既に説明した構成と略同一である。以下、既に説明した構成における機能とは異なる点を中心に説明する。許否フラグ設定部２０２は、操作部１１６を介してユーザから撮影を許可するか否かを受け付ける。そして、ユーザから撮影を許可することを受け付けた場合、許否フラグ設定部２０２は、許可を示す撮影許否フラグ２０１（以下、単に「許可フラグ」という）を許否フラグ格納部２０４に格納する。また、ユーザから撮影を拒否することを受け付けた場合、許否フラグ設定部２０２は、拒否を示す撮影許否フラグ２０１（以下、単に「拒否フラグ」という）を許否フラグ格納部２０４に格納する。
【００４３】
許否情報提供部２０６は、第２通信部１１２を介して受信した拒否情報要求に応じて、許否フラグ格納部２０４に格納されている撮影許否フラグ２０１を許否情報として撮影側携帯電話装置２５０に送信する。つまり、許否情報提供部２０６は、許否確認処理を行う。
【００４４】
起動部２０８は、許否フラグ格納部２０４に拒否フラグが格納されている場合、許否情報提供部２０６に起動を指示する。また、許否フラグ格納部２０４に許可フラグが格納されている場合、起動部２０８は許否情報提供部２０６の機能を停止させる。つまり、許否フラグ格納部２０４に拒否フラグが格納されている場合、起動部２０８は許否情報提供部２０６が常に許否情報提供部２０６からの許否情報要求に応答できるようにする。これにより、許否情報提供部２０６が動作することにより発生する消費電力を抑えることができる。もちろん常に許否情報提供部２０６が機能していてもよい。
【００４５】
一方、図４の撮影側携帯電話装置２５０は、被写体側携帯電話装置２００と同一の構成であってよい。制御情報取得部１１０は、モード設定部１０８から指示されると、制御情報または許否情報の取得処理を開始する。そして、制御情報取得部１１０は、取得した制御情報および許否情報をモード設定部１０８に出力する。モード設定部１０８は、制御情報に基づいて、図２を用いて説明した処理を行う。また、モード設定部１０８は、許否情報に基づいて機能部１０２を起動する処理を行う。撮影を拒否することを示す許否情報を取得した場合、モード設定部１０８は機能部１０２を起動せず、撮影できないことを示すメッセージを表示部１２２に表示させる。撮影を許可することを示す許否情報を取得した場合、モード設定部１０８は機能部１０２を通常モードで起動する。これにより、ユーザが認識していない状態で、勝手に被写体として撮影されることを防止できる。
【００４６】
図７は、図４の撮影側携帯電話装置２５０における撮影処理のフローチャートの一例である。図４の撮影側携帯電話装置２５０は、図５の被写体側携帯電話装置２００と同一の構成を有するため、図５の構成を用いて本フローチャートを説明する。起動指示部１１４は、カメラ起動ボタン１１８の押下を検出すると（Ｓ８０）、モード設定部１０８に機能部１０２の起動を指示する。そして、モード設定部１０８の指示に応じて、制御情報取得部１１０は制御情報と許否情報の取得処理を開始する（Ｓ８２）。制御情報取得部１１０が、制御情報のみを取得した場合（Ｓ８４のａ）、モード設定部１０８は第１の実施の形態を用いて説明した広エリアの制限モードで機能部１０２を機能させる（Ｓ８６）。また、制御情報取得部１１０が許否情報のみを取得した場合（Ｓ８４のｂ）、モード設定部１０８は狭エリアの制限モードで機能部１０２を機能させる（Ｓ８８）。また、制御情報取得部１１０が制御情報および許否情報を取得した場合（Ｓ８４のｃ）、モード設定部１０８は制御情報に基づいた制限モードを優先するように機能部１０２を機能させる。つまり、モード設定部１０８は、機能部１０２を広エリアの制限モードで機能させる（Ｓ９０）。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。こうした変形例として、第１の実施の形態および第２の実施の形態では、電子装置の所定の機能により生成されるコンテンツの品質を低下するように外部から制御しているが、例えば良質のコンテンツを生成できるように、コンテンツの生成に係る設定値を外部から制御してもよい。
【図面の簡単な説明】
【００４８】
【図１】（ａ）は、第１の実施の形態に係る通信システムの構成図であり、（ｂ）は、画質の調整が行われていない時の被写体の画像の一例を示す図であり、（ｃ）は、画質の調整が行われた時の被写体の画像一例を示す図である。
【図２】図１の携帯電話装置の内部構成図である。
【図３】図２の携帯電話装置における撮影処理のフローチャートである。
【図４】第２の実施の形態に係る通信システムの構成図である。
【図５】図４の被写体側携帯電話装置および撮影側携帯電話装置間の処理のシーケンスの一例を示す図である。
【図６】図４の被写体側携帯電話装置および撮影側携帯電話装置の内部構成図である。
【図７】図４の撮影側携帯電話装置における撮影処理のフローチャートである。
【符号の説明】
【００４９】
１０  通信システム、１２  制限範囲、２０  被写体、３０  通信システム、５０  制御情報送信装置、５２  アンテナ、５４  送信部、５６  制御情報格納部、７０  通常画像、７２  制限画像、１００  携帯電話装置、１０２  機能部、１０４  撮像部、１０６  画像処理部、１０８  モード設定部、１１０  制御情報取得部、１１２  第２通信部、１１４  起動指示部、１１６  操作部、１１８  カメラ起動ボタン、１２０  格納部、１２２  表示部、１２４  利用部、１２６  第１通信部、１２８  通話部、１３０  マイク、１３２  スピーカ、１３４  通常モード設定値格納部、１３６  制限モード設定値格納部、２００  被写体側携帯電話装置、２０１  撮影許否フラグ、２０２  許否フラグ設定部、２０４  許否フラグ格納部、２０６  許否情報提供部、２０８  起動部、２５０  撮影側携帯電話装置。
【図１】
2005142809.tif 000003
【図２】
2005142809.tif 000004
【図３】
2005142809.tif 000005
【図４】
2005142809.tif 000006
【図５】
2005142809.tif 000007
【図６】
2005142809.tif 000008
【図７】
2005142809.tif 000009